(57)【特許請求の範囲】
【請求項１】
バックヨーク部および磁極ティース部からなるＴ字状のコア片を積層一体化して作製された分割鉄心を円環状に配列して構成される回転電機用電機子鉄心の製造方法において、
それぞれ、上記磁極ティース部を互いに平行として上記バックヨーク部の長さ方向に上記コア片を１列に配列した２つのコア片群が、一方の上記コア片群の隣り合う上記磁極ティース部間に他方の上記コア片群の上記磁極ティース部を入れるように、逆向きに配置された千鳥状配列の状態で、パイロットピン用穴が幅方向両端側に圧延方向に一定のピッチで形成された帯板から打ち抜かれる工程を有し、
上記千鳥状に配列された上記コア片群の最外周に接する長方形をコアブロックとした場合、
上記コアブロックは、上記帯板の両端および上記パイロットピン用穴から抜き打ち可能な距離を確保され、一方の対角に位置する角部が上記帯板の圧延方向に隣り合う上記パイロットピン用穴の間に位置し、かつ上記磁極ティース部の中心線と上記帯板の圧延方向とのなす角度θが、０°＜θ＜θ２（ただし、θ２は０°の時と材料歩留まりが等しい時の角度）の範囲となるように、配置されていることを特徴とする回転電機用電機子鉄心の製造方法。
【請求項２】
バックヨーク部および磁極ティース部からなるＴ字状のコア片を積層一体化して作製された分割鉄心を円環状に配列して構成される回転電機用電機子鉄心の製造方法において、
それぞれ、上記磁極ティース部を互いに平行として上記バックヨーク部の長さ方向に上記コア片を１列に配列した２つのコア片群が、一方の上記コア片群の隣り合う上記磁極ティース部間に他方の上記コア片群の上記磁極ティース部を入れるように、逆向きに配置された千鳥状配列の状態で、パイロットピン用穴が幅方向両端側に圧延方向に一定のピッチで形成された帯板から打ち抜かれる工程を有し、
上記千鳥状に配列された上記コア片群の最外周に接する長方形の、配列方向の両端に位置する上記コア片に対して千鳥状の位置に位置する上記コア片の上記バックヨーク部側の角部側を、配列方向の両端に位置する上記コア片の上記磁極ティース部と千鳥状の位置に位置する上記コア片の上記バックヨーク部との最外周を結ぶ直線で切り落とした６角形をコアブロックとした場合、
上記コアブロックは、上記帯板の両端および上記パイロットピン用穴から抜き打ち可能な距離を確保され、上記長方形の短辺と上記直線との交差部により構成される角部が上記帯板の圧延方向に隣り合う上記パイロットピン用穴の間に位置し、かつ上記磁極ティース部の中心線と上記帯板の圧延方向とのなす角度θが、０°＜θ＜θ２（ただし、θ２は０°の時と材料歩留まりが等しい時の角度）の範囲となるように、配置されていることを特徴とする回転電機用電機子鉄心の製造方法。
【請求項３】
上記直線が上記帯板の圧延方向と平行となっていることを特徴とする請求項２記載の回転電機用電機子鉄心の製造方法。
【請求項４】
バックヨーク部および磁極ティース部からなるＴ字状のコア片を積層一体化して作製された分割鉄心を円環状に配列して構成される回転電機用電機子鉄心の製造方法において、
それぞれ、上記磁極ティース部を互いに平行として上記バックヨーク部の長さ方向に上記コア片を１列に配列した２つのコア片群が、一方の上記コア片群の隣り合う上記磁極ティース部間に他方の上記コア片群の上記磁極ティース部を入れるように、逆向きに配置された千鳥状配列の状態で、パイロットピン用穴が幅方向両端側に圧延方向に一定のピッチで形成された帯板から打ち抜かれる工程を有し、
上記千鳥状に配列された上記コア片群の最外周に接する長方形の、配列方向の両端に位置する上記コア片に対して千鳥状の位置に位置する上記コア片の上記バックヨーク部側の角部側を、配列方向の両端に位置する上記コア片の上記磁極ティース部と千鳥状の位置に位置する上記コア片の上記バックヨーク部との最外周を結ぶ直線で切り落とした６角形をコアブロックとした場合、
上記コアブロックは、上記帯板の両端および上記パイロットピン用穴から抜き打ち可能な距離を確保され、配列方向の両端に位置する上記コア片の上記バックヨーク部側の角部が上記帯板の圧延方向に隣り合う上記パイロットピン用穴の間に位置し、かつ上記磁極ティース部の中心線と上記帯板の圧延方向とのなす角度θが、０°＜θ＜θ２（ただし、θ２は０°の時と材料歩留まりが等しい時の角度）の範囲となるように、配置されていることを特徴とする回転電機用電機子鉄心の製造方法。
【請求項５】
上記コアブロックは、上記角度θが、０°＜θ≦θ３（ただし、θ３は上記コアブロックの長さが上記帯板の幅と等しくなる時の角度）の範囲となるように、配置されていることを特徴とする請求項１から請求項４のいずれか１項に記載の回転電機用電機子鉄心の製造方法。
【請求項６】
上記コアブロックは、上記角度θが、θ１−３°≦θ≦θ１＋３°（ただし、θ１は材料歩留まりが最大となる時の角度）の範囲となるように、配置されていることを特徴とする請求項１から請求項５のいずれか１項に記載の回転電機用電機子鉄心の製造方法。
【発明の詳細な説明】
【技術分野】
【０００１】
この発明は、回転電機に用いられる電機子鉄心の製造方法に関し、特に、電機子鉄心の生産性、材料歩留り、特性などの向上を目的としている。
【背景技術】
【０００２】
従来、複数の磁極片が連結部を介して直線状に連結された鉄心を複数重ねて積層した後、連結部を屈曲させて環状にしてモータのステータコアが製造されていた。この直線状の鉄心を帯板から打ち抜く、従来の鉄心の製造方法では、鉄心の長手方向が帯板の幅方向に対し傾斜した方向に沿うようにして帯板から鉄心を打ち抜く工程を少なくとも有し、かつ、打ち抜かれる鉄心の全長を帯板の幅より長くしていた（例えば、特許文献１参照）。
【先行技術文献】
【特許文献】
【０００３】
【特許文献１】特許第４３３０４２０号明細書
【発明の概要】
【発明が解決しようとする課題】
【０００４】
従来の鉄心の製造方法では、鉄心の長手方向を帯板の幅方向に対して傾斜した方向に沿うようにして帯板から鉄心を打ち抜いているので、帯板の幅を広げることなく、かつ大型の製造装置を用いることなく、帯板の幅より長い鉄心を製造できる。しかしながら、従来の鉄心の製造方法では、打ち抜かれる鉄心と帯板に形成されるパイロットピン用の穴と位置関係、さらには鉄心の長手方向の帯板の幅方向に対する傾斜角度範囲について、何ら言及されてないので、打ち抜かれる鉄心の位置および傾斜角度によっては、材料歩留まりが低下してしまうという課題があった。さらに、従来の鉄心の製造方法は、打ち抜かれる鉄心の全長が帯板の幅より短い場合に適用できないという課題もあった。
【０００５】
この発明は、上記のような課題を解決するためになされたものであり、千鳥状直線２列に配置されたコア片群を、コア片の配列方向を帯板の幅方向に対して傾斜させて帯板から打ち抜く際に、材料歩留まりを高めることができる回転電機用電機子鉄心の製造方法を得ることを目的とする。
【課題を解決するための手段】
【０００６】
この発明に係る回転電機用電機子鉄心の製造方法は、バックヨーク部および磁極ティース部からなるＴ字状のコア片を積層一体化して作製された分割鉄心を円環状に配列して構成される回転電機用電機子鉄心の製造方法であり、それぞれ、上記磁極ティース部を互いに平行として上記バックヨーク部の長さ方向に上記コア片を１列に配列した２つのコア片群が、一方の上記コア片群の隣り合う上記磁極ティース部間に他方の上記コア片群の上記磁極ティース部を入れるように、逆向きに配置された千鳥状配列の状態で、パイロットピン用穴が幅方向両端側に圧延方向に一定のピッチで形成された帯板から打ち抜かれる工程を有している。そして、上記千鳥状に配列された上記コア片群の最外周に接する長方形をコアブロックとした場合、上記コアブロックは、上記帯板の両端および上記パイロットピン用穴から抜き打ち可能な距離を確保され、一方の対角に位置する角部が上記帯板の圧延方向に隣り合う上記パイロットピン用穴の間に位置し、かつ上記磁極ティース部の中心線と上記帯板の圧延方向とのなす角度θが、０°＜θ＜θ２（ただし、θ２は０°の時と材料歩留まりが等しい時の角度）の範囲となるように、配置されている。
【発明の効果】
【０００７】
この発明によれば、千鳥状に配列されたコア片群の最外周に接する長方形により構成されるコアブロックは、帯板の両端およびパイロットピン用穴から抜き打ち可能な距離を確保され、一方の対角に位置する角部が帯板の圧延方向に隣り合うパイロットピン用穴の間に位置し、かつ磁極ティース部の中心線と帯板の圧延方向とのなす角度θが、０°＜θ＜θ２（ただし、θ２は０°の時と材料歩留まりが等しい時の角度）の範囲となるように、配置されているので、千鳥状に配列されたコア片群を帯板の幅一杯に配置でき、材料歩留まりを向上できる。
【図面の簡単な説明】
【０００８】
【図１】この発明の実施の形態１に係る回転電機を示す平面図である。
【図２】この発明の実施の形態１に係る回転電機における電機子を分解した状態を示す平面図である。
【図３】この発明の実施の態１に係る回転電機における分割電機子を構成する分割鉄心連結体の縮小状態を示す平面図である。
【図４】この発明の実施の態１に係る回転電機における分割電機子を構成する分割鉄心連結体の拡大状態を示す平面図である。
【図５】この発明の実施の態１に係る回転電機における縮小状態の分割鉄心連結体の軸部周りを示す要部拡大平面図である。
【図６】この発明の実施の態１に係る回転電機における拡大状態の分割鉄心連結体の軸部周りを示す要部拡大平面図である。
【図７】図６のＶＩＩ−ＶＩＩ矢視断面図である。
【図８】この発明の実施の態１に係る回転電機における分割鉄心を構成する第１コア片を示す平面図である。
【図９】この発明の実施の態１に係る回転電機における分割鉄心を構成する第２コア片を示す平面図である。
【図１０】この発明の実施の形態１に係るコア片の材料取りを説明する平面図である。
【図１１】この発明の実施の形態１に係るθが０°より大きく、θ１より小さい時のコア片打ち抜き行程におけるコア片の配置を示す平面図である。
【図１２】従来のコア片打ち抜き行程におけるコア片の配置を示す平面図である。
【図１３】この発明の実施の形態１に係るθがθ１の時のコア片打ち抜き行程におけるコア片の配置を示す平面図である。
【図１４】この発明の実施の形態１に係るθがθ１より大きく、θ２より小さい時のコア片打ち抜き行程におけるコア片の配置を示す平面図である。
【図１５】この発明の実施の形態１に係る帯板の幅と穴Ｐのピッチとの積の逆比とθとの関係を示す図である。
【図１６】この発明の実施の形態１に係る回転電機の回転子の回転角度とトルク脈動の２ｆ成分との関係を示す図である。
【図１７】この発明の実施の形態１に係る分割鉄心連結体の製造方法を説明する図である。
【図１８】この発明の実施の形態１に係る分割鉄心連結体の製造方法により製造された分割鉄心連結体を示す平面図である。
【図１９】この発明の実施の形態１に係る分割電機子の製造方法を説明する平面図である。
【図２０】この発明の実施の形態１に係る分割電機子を円弧状に曲げる工程を説明する平面図である。
【図２１】この発明の実施の形態１に係る分割電機子の実施態様を示す平面図である。
【図２２】この発明の実施の形態１に係る分割鉄心連結体における軸部の外径と第１嵌合穴の内径との関係を説明する要部平面図である。
【図２３】この発明の実施の形態１に係る分割鉄心連結体における軸部の外径と第２嵌合穴の内径との関係を説明する要部平面図である。
【図２４】この発明の実施の形態１に係る分割鉄心連結体における軸部の外径、第１嵌合穴の内径、および第２嵌合穴の内径の関係を変化させた実施態様を示す要部平面図である。
【図２５】この発明の実施の形態２に係るθがθ３の時のコア片打ち抜き行程におけるコア片の配置を示す平面図である。
【図２６】この発明の実施の形態２に係るθ３がθ２より大きい場合における帯板の幅と穴Ｐのピッチとの積の逆比とθとの関係を示す図である。
【図２７】この発明の実施の形態２に係るθ３がθ２より小さい場合における帯板の幅と穴Ｐのピッチとの積の逆比とθとの関係を示す図である。
【図２８】この発明の実施の形態３に係るコア片打ち抜き行程におけるコア片の配置を示す平面図である。
【図２９】この発明の実施の形態３に係る帯板の幅と穴Ｐのピッチとの積の逆比とθとの関係を示す図である。
【図３０】この発明の実施の形態４に係るコア片打ち抜き行程におけるコア片の配置を示す平面図である。
【図３１】この発明の実施の形態４に係る帯板の幅と穴Ｐのピッチとの積の逆比とθとの関係を示す図である。
【発明を実施するための形態】
【０００９】
以下、本発明による回転電機用電機子鉄心の製造方法の好適な実施の形態につき図面を用いて説明する。
【００１０】
実施の形態１．
図１はこの発明の実施の形態１に係る回転電機を示す平面図、図２はこの発明の実施の形態１に係る回転電機における電機子を分解した状態を示す平面図、図３はこの発明の実施の態１に係る回転電機における分割電機子を構成する分割鉄心連結体の縮小状態を示す平面図、図４はこの発明の実施の態１に係る回転電機における分割電機子を構成する分割鉄心連結体の拡大状態を示す平面図、図５はこの発明の実施の態１に係る回転電機における縮小状態の分割鉄心連結体の軸部周りを示す要部拡大平面図、図６はこの発明の実施の態１に係る回転電機における拡大状態の分割鉄心連結体の軸部周りを示す要部拡大平面図、図７は図６のＶＩＩ−ＶＩＩ矢視断面図、図８はこの発明の実施の態１に係る回転電機における分割鉄心を構成する第１コア片を示す平面図、図９はこの発明の実施の態１に係る回転電機における分割鉄心を構成する第２コア片を示す平面図である。
【００１１】
図１において、回転電機１００は、ハウジング１に回転可能に支持された回転軸３に固着されてハウジング１内に配設された回転子２と、回転子２との間に一定の空隙を介して回転子２を囲繞するようにハウジング１に保持された電機子１０と、を備えている。
【００１２】
回転子２は、回転軸３と、軸心位置に挿入された回転軸３に固着された回転子鉄心４と、回転子鉄心４の外周面に配設された永久磁石５と、を備えている。ここでは、１６個の永久磁石５が回転子鉄心４の外周面に周方向に等ピッチで配設されている。
【００１３】
電機子１０は、磁極ティース１６ｂが、それぞれ、円環状のバックヨークの内周壁面から径方向内方に突出して、周方向に等ピッチで複数本、ここでは１８本配設された電機子鉄心１２と、磁極ティース１６ｂのそれぞれにインシュレータ１４を介して導体線を巻回して作製された集中巻コイル１３ａからなる電機子コイル１３と、を備える。
【００１４】
電機子１０は、図２に示される円弧状に構成された分割電機子１１を周方向に３個配列して円環状に構成されている。分割電機子１１は、６つの分割鉄心１６を一続きに連結して構成された分割鉄心連結体１５と、磁極ティース１６ｂのそれぞれにインシュレータ１４を介して装着された集中巻コイル１３ａと、から構成されている。
【００１５】
第１コア片１７は、図８に示されるように、バックヨーク部１７ａと、バックヨーク部１７ａの長さ方向中央部から突出する磁極ティース部１７ｂと、を有する略Ｔ字状に形成されている。バックヨーク部１７ａは、長さ方向の一端部が凸状に膨出し、長さ方向の他端部が凹状に窪んでいる。幅縮小部１７ｂ１が磁極ティース部１７ｂの根元部の幅を縮小して形成され、幅拡大部１７ｂ２が磁極ティース部１７ｂの突出端を周方向両側に延ばして形成されている。そして、抜きカシメ部１７ｃが、例えばバックヨーク部１７ａに２カ所、および磁極ティース部１７ｂの突出端側に１カ所形成されている。さらに、軸部１９が、半抜き加工によりバックヨーク部１７ａの長さ方向の一端側にタボ状に形成されている。この軸部１９は、バックヨーク部１７ａの径方向幅の中心位置より外周側に設けられている。
【００１６】
第２コア片１８は、図９に示されるように、バックヨーク部１８ａと、バックヨーク部１８ａの長さ方向中央部から突出する磁極ティース部１８ｂと、を有する略Ｔ字状に形成されている。バックヨーク部１８ａは、長さ方向の一端部が凹状に窪み、長さ方向の他端部が凸状に膨出している。幅縮小部１８ｂ１が磁極ティース部１８ｂの根元部の幅を縮小して形成され、幅拡大部１８ｂ２が磁極ティース部１８ｂの突出端を周方向両側に延ばして形成されている。そして、抜きカシメ部１８ｃが、例えばバックヨーク部１８ａに２カ所、および磁極ティース部１８ｂの突出端側に１カ所形成されている。さらに、嵌合穴２０が、バックヨーク部１８ａの長さ方向の他端側に形成されている。この嵌合穴２０は、軸部１９に対応する位置、すなわちバックヨーク部１８ａの径方向幅の中心位置より外周側に設けられている。
【００１７】
分割鉄心１６は、第１コア片１７と第２コア片１８を交互に複数枚重ね、抜きカシメ部１７ｃ，１８ｃで第１および第２コア片１７，１８を互いに固定して作製されている。そして、バックヨーク部１７ａ，１８ａが積層、一体化されて円弧状のバックヨーク部１６ａを構成し、磁極ティース部１７ｂ，１８ｂが積層、一体化されて磁極ティース１６ｂを構成している。さらに、幅縮小部１７ｂ１，１８ｂ１が積層、一体化されて、磁極ティース１６ｂの根元部の幅を縮小した幅縮小部１６ｂ１を構成し、幅拡大部１７ｂ２，１８ｂ２が積層、一体化されて、磁極ティース１６ｂの突出部の幅を拡大した幅拡大部１６ｂ２を構成している。軸部１９は、図７に示されるように、軸心を一致させて、第１および第２コア片１７，１８の積層方向に重ねられている。嵌合穴２０は、穴形状を一致させて、第１および第２コア片１７，１８の積層方向に重ねられている。
【００１８】
嵌合穴２０は、図５および図６に示されるように、磁極ティース部１８ｂの長さ方向（突出方向）と直交する方向、すなわち回転電機１００のシャフト３の軸心と直交する平面において、シャフト３の軸心を通る磁極ティース１６ｂの中心線と直交（略直交）する方向に離間する第１嵌合穴２０ａおよび第２嵌合穴２０ｂと、第１嵌合穴２０ａと第２嵌合穴２０ｂとを連結する連結穴２０ｃと、を備えている。バネ部２１が、バックヨーク部１８ａの嵌合穴２０の外周側に貫通穴を形成して、嵌合穴２０の外周側に設けられている。バネ部２１には、連結穴２０ｃ側に突出して、軸部１９を第１嵌合穴２０ａ又は第２嵌合穴２０ｂに位置決めする凸部２１ａが設けられている。
【００１９】
そこで、２つの分割鉄心１６の間隔は、図５に示されるように、軸部１９が第２嵌合穴２０ｂに嵌合されて、縮小される。また、２つの分割鉄心１６の間隔は、図６に示されるように、軸部１９が第１嵌合穴２０ａに嵌合されて、拡大される。そして、図５において、引き離す力が２つの分割鉄心１６に作用すると、移動力が軸部１９を介して凸部２１ａを押し上げるように作用し、バネ部２１が弾性変形する。これにより、軸部１９が連結穴２０ｃを通って第１嵌合穴２０ａ側に移動する。そして、軸部１９が凸部２１ａを超えると、バネ部２１が復元する。そこで、バネ部２１の復元力が凸部２１ａを介して軸部１９に作用し、軸部１９が第１嵌合穴２０ａ内に押し入れられ、第１嵌合穴２０ａに嵌合される。また、第１嵌合穴２０ａから第２嵌合穴２０ｂへの軸部１９の移動時も、同様に、バネ部２１が弾性変形する。
【００２０】
このように、分割鉄心１６を縮小位置と拡大位置との間で変位させる際には、バネ部２１を弾性変形させる力が必要となる。これにより、軸部１９は、バネ部２１により第１嵌合穴２０ａ又は第２嵌合穴２０ｂに位置決めされる。また、重ねられた第１コア片１７の軸部１９の軸心が第１および第２コア片１７，１８の積層方向に一致しているので、分割鉄心１６は、軸部１９周りに回動可能となっている。
【００２１】
分割鉄心連結体１５は、一方の分割鉄心１６の軸部１９を他方の分割鉄心１６の嵌合穴２０に嵌合させて、６つの分割鉄心１６を軸部１９周りに回動可能に、かつ一続きに連結して構成されている。６つの分割鉄心１６は、図３に示されるように、軸部１９が第２嵌合穴２０ｂに嵌合されて、磁極ティース１６ｂが互いに平行となって直線状に展開される（縮小位置）。また、６つの分割鉄心１６は、図４に示されるように、軸部１９が第１嵌合穴２０ａに嵌合されて、磁極ティース１６ｂが互いに平行となってτｓ’のピッチで直線状に展開される（拡大位置）。このように、分割鉄心連結体１５は、隣り合う磁極ティース１６ｂ間の間隔がＬｓとＬｓ＋δとの間で拡大／縮小可能となっている。
【００２２】
ここで、分割鉄心連結体１５の製造方法について説明する。図１０はこの発明の実施の形態１に係るコア片の材料取りを説明する平面図、図１１はこの発明の実施の形態１に係るθが０°より大きく、θ１より小さい時のコア片打ち抜き行程におけるコア片の配置を示す平面図、図１２は従来のコア片打ち抜き行程におけるコア片の配置を示す平面図、図１３はこの発明の実施の形態１に係るθがθ１の時のコア片打ち抜き行程におけるコア片の配置を示す平面図、図１４はこの発明の実施の形態１に係るθがθ１より大きく、θ２より小さい時のコア片打ち抜き行程におけるコア片の配置を示す平面図、図１５はこの発明の実施の形態１に係る帯板の幅と穴Ｐのピッチとの積の逆比とθとの関係を示す図、図１６はこの発明の実施の形態１に係る回転電機の回転子の回転角度とトルク脈動の２ｆ成分との関係を示す図である。
【００２３】
まず、第１および第２コア片１７，１８の材料取りについて図１０を参照しつつ説明する。
【００２４】
６つの第１コア片１７を、磁極ティース部１７ｂを平行にして、バックヨーク部１７ａの長さ方向にピッチτｓ’で１列に直線状に配列した２つの第１コア片群が、一方の第１コア片群の磁極ティース部１７ｂを他方の第１コア片群の磁極ティース部１７ｂ間に入れるように、逆向きに配置された、いわゆる千鳥状直線２列配列となって、電磁鋼板などの帯板２５から打ち抜かれる。なお、第１コア片群の一端に位置する第１コア片１７は、バックヨーク部１７ａの長さ方向一端部が凹状に窪んでいる。また、第１コア片群の他端に位置する第１コア片１７は、バックヨーク部１７ａの長さ方向他端部が凸状に膨出している。
【００２５】
同様に、６つの第２コア片１８を、磁極ティース部１８ｂを平行にして、バックヨーク部１８ａの長さ方向にピッチτｓ’で１列に直線状に配列した２つの第２コア片群が、一方の第２コア片群の磁極ティース部１８ｂを他方の第２コア片群の磁極ティース部１８ｂ間に入れるように、逆向きに配置された、いわゆる千鳥状直線２列配列となって、帯板２５から打ち抜かれる。なお、第２コア片群の他端に位置する第２コア片１８には、嵌合穴２０が設けられていない。
【００２６】
このように、千鳥状直線２列配列となって打ち抜かれた第１および第２コア片１７，１８においては、隣り合う幅縮小部１７ｂ１、１８ｂ１間の間隔τ１は、幅拡大部１７ｂ２，１８ｂ２の幅τ２より広くなっている。プレス金型の刃物の損傷発生を抑制するためには、帯板２５の板厚をＴとした場合、τ１≧τ２＋２Ｔと設定することが望ましい。なお、縮小状態となった第１および第２コア片１７，１８の隣り合う幅縮小部１７ｂ１、１８ｂ１間の間隔は、幅拡大部１７ｂ２，１８ｂ２の幅τ２より狭くなっている。
【００２７】
ここで、説明の便宜上、千鳥状直線２列に配列された第１および第２コア片１７，１８の最外周に接する長方形（以下、コアブロック３０とする）を用いて、千鳥状直線２列配列となった第１および第２コア片１７，１８を帯板２５から打ち抜く範囲を説明する。コアブロック３０の長辺長さをＬ、短辺長さをＨとする。また、コアブロック３０の一方の対角の両角部をＡ、他方の対角の両角部をＢとする。なお、一方の対角は、コアブロック３０の、千鳥状直線２列配列の配列方向の両端に位置する第１および第２コア片１７，１８のバックヨーク部１７ａ，１８ａ側の角である。他方の対角は、コアブロック３０の、千鳥状直線２列配列の配列方向の両端に位置する第１および第２コア片１７，１８に対して千鳥状の位置に位置する第１および第２コア片１７，１８のバックヨーク部１７ａ，１８ａ側の角である。
【００２８】
つぎに、従来のコア片打ち抜き行程におけるコア片の配置について図１２を参照しつつ説明する。なお、図１２では、便宜上、第１コア片１７が千鳥状直線２列に配列されたコアブロック３０のみを示している。また、Ｌｍ０は帯板２５の幅である。
【００２９】
帯板２５の幅方向に垂直な圧延方向に帯板２５を移動させるためのパイロットピン用穴としての穴Ｐが、帯板２５の幅方向の両端側に、直径Ｄｐで、圧延方向にピッチＬｐ０で形成されている。穴Ｐは、帯板２５の幅方向の両端から、それぞれ、打ち抜き可能な距離ｄだけ離れている。コアブロック３０は、長方形の短辺の長さ方向を帯板２５の圧延方向に一致させて、かつ、短辺の中央部が穴Ｐから距離ｄだけ離れるように配置されて、帯板２５から（Ｈ＋ｄ）のピッチで打ち抜かれる。
【００３０】
なお、距離ｄを確保せずに穴Ｐおよびコアブロック３０を打ち抜いた場合、打ち抜き形状の寸法精度が悪化し、さらには帯板２５をコンベアなどで順送する際に、打ち抜き後の帯板２５の剛性が低下して変形し、打ち抜き精度が悪化する。
【００３１】
図１２において、帯板２５の打ち抜き可能な範囲は、帯板２５の幅方向両端から距離ｄだけ離れた、一点鎖線で示される打ち抜き限度線２６間の範囲となる。また、コアブロック３０の短辺が穴Ｐから距離ｄだけ離れて配置されている。そこで、従来のコア片打ち抜き行程では、打ち抜き限度線２６とコアブロック３０の短辺との間の領域の材料を打ち抜くことができないので、材料歩留まりを高めることができない。
【００３２】
つぎに、実施の形態１によるθが０°より大きく、θ１より小さい時のコア片打ち抜き行程におけるコア片の配置について図１１を参照しつつ説明する。なお、図１１では、説明の便宜上、第１コア片１７が千鳥状直線２列に配列されたコアブロック３０のみを示している。
【００３３】
このコア片打ち抜き行程では、磁極ティース部１７ｂの中心線と帯板２５の圧延方向とのなす角度θが、０°＜θ＜θ１の範囲内となるように、コアブロック３０を打ち抜いている。なお、磁極ティース部１７ｂの中心線は、磁極ティース部１７ｂの幅方向の中央を通る直線であり、コアブロック３０の短辺の長さ方向と平行である。また、θ１は、材料歩留まりが最大となる磁極ティース部１７ｂの中心線と帯板２５の圧延方向とのなす角度である。帯板２５の幅はＬｍ、穴Ｐの配列ピッチ（穴中心間の距離）はＬｐである。なお、第２コア片１８も同様に打ち抜かれる。
【００３４】
このコア片打ち抜き工程では、コアブロック３０は、帯板２５の幅方向に関して一方の対角の両角部Ａを圧延方向に隣り合う穴Ｐ間に位置させて、穴Ｐから距離ｄだけ離れて配置されている。なお、コアブロック３０の両角部Ａは、打ち抜き限度線２６と接していない。したがって、このコア片打ち抜き工程によれば、従来のコア片打ち抜き行程では打ち抜くことができなかった、図１２における打ち抜き限度線２６とコアブロック３０の短辺との間の領域内の材料を打ち抜くことができ、材料歩留まりを高めることができる。なお、θが０°の時が、図１２に示される従来のコア片打ち抜き工程に相当する。
【００３５】
つぎに、実施の形態１によるθがθ１の時のコア片打ち抜き行程におけるコア片の配置について図１３を参照しつつ説明する。このコア片打ち抜き行程では、磁極ティース部１７ｂ，１８ｂの中心線と帯板２５の圧延方向とのなす角度θが、材料歩留まりが最大となるθ１となるように、コアブロック３０を打ち抜いている。なお、図１３では、コアブロック３０内の第１および第２コア片１７，１８が省略されている。
【００３６】
このコア片打ち抜き工程では、コアブロック３０は、一方の対角の両角部Ａが圧延方向に隣り合う穴Ｐ間に位置して、かつ、打ち抜き限度線２６に接している。さらに、コアブロック３０は、穴Ｐから距離ｄだけ離れて配置されている。したがって、このコア片打ち抜き工程によれば、従来のコア片打ち抜き行程では打ち抜くことができなかった、図１２における打ち抜き限度線２６とコアブロック３０の短辺との間の領域内の材料を打ち抜くことができ、材料歩留まりを高めることができる。さらに、コアブロック３０の角部Ａが打ち抜き限度線２６と接しているので、図１１に示されるコア片打ち抜き工程に比べて、材料歩留まりを高めることができる。
【００３７】
つぎに、実施の形態１によるθがθ１より大きく、θ２より小さい時のコア片打ち抜き行程におけるコア片の配置について図１４を参照しつつ説明する。このコア片打ち抜き行程では、磁極ティース部１７ｂ，１８ｂの中心線と帯板２５の圧延方向とのなす角度θが、θ１＜θ＜θ２となるように、コアブロック３０を打ち抜いている。なお、図１４では、コアブロック３０内の第１および第２コア片１７，１８が省略されている。また、θ２はθ＝０°の時と材料歩留まりが等しくなる角度である。
【００３８】
このコア片打ち抜き工程では、コアブロック３０は、一方の対角の両角部Ａが圧延方向に隣り合う穴Ｐ間に位置して、かつ、打ち抜き限度線２６に接している。さらに、コアブロック３０は、穴Ｐから距離ｄだけ離れて配置されている。したがって、このコア片打ち抜き工程によれば、従来のコア片打ち抜き行程では打ち抜くことができなかった、図１２における打ち抜き限度線２６とコアブロック３０の短辺との間の領域内の材料を打ち抜くことができ、材料歩留まりを高めることができる。さらに、θがθ１より大きくなっているので、図１３に示されるコア片打ち抜き工程に比べて、材料歩留まりが小さくなる。
【００３９】
ここで、帯板２５の幅Ｌｍと穴ＰのピッチＬｐとの積の逆比（１／（Ｌｍ×Ｌｐ））は帯板２５の材料歩留まりに比例する。Ｌｍは式（１）で、Ｌｐは式（２）で、θ１は式（３）で、θ２は式（４）で、θ０は式（５）で表される。さらに、定数Ａ，Ｂ，Ｃはそれぞれ式（６）、式（７）、式（８）で表される。なお、Ｌｍは帯板２５の材料幅、Ｌｐは圧延方向に隣り合うパイロットピン用の穴Ｐの中心距離、Ｄｐは穴Ｐの穴径、Ｌはコアブロック３０の長辺長さ、Ｈはコアブロック３０の短辺長さ、ｄは帯板２５の材料幅の両端側、穴Ｐ、またはコアブロック３０からの打ち抜き可能な距離、θ０はコアブロック３０の対角線と長辺とのなす角度、θはコアブロック３０の長辺と帯板２５の材料幅方向とのなす角度（第１および第２コア片１７，１８の磁極ティース部１７ｂ、１８ｂの中心線と帯板２５の圧延方向とのなす角度）、Ｌｍ０はθ＝０°のときの帯板２５の材料幅、Ｌｐ０はθ＝０°のときの圧延方向に隣り合う穴Ｐの穴中心間の距離、θ１は材料歩留まりが最大となるときの磁極ティース部１７ｂ、１８ｂの中心線と帯板２５の圧延方向とのなす角度、θ２はθ＝０°の時と材料歩留まりが等しくなる角度、θ３はコアブロック３０の長辺長さが帯板２５の材料幅と等しくなるときの磁極ティース部１７ｂ、１８ｂの中心線と帯板２５の圧延方向とのなす角度である。
【００４０】
つぎに、Ｌ＝３７７．２５ｍｍ、Ｈ＝７５ｍｍ、ｄ＝５ｍｍ、Ｄｐ＝１２ｍｍ、Ｌｍ０＝４２１．２５ｍｍ、Ｌｐ０＝８０ｍｍとして、１／（Ｌｍ×Ｌｐ）を算出した結果を図１５に示した。
【００４１】
図１５から、θが０°から大きくなるにつれ、帯板２５の材料幅Ｌｍと圧延方向に隣り合う穴Ｐの穴中心間の距離(ピッチ）Ｌｐとの積の逆比（１／（Ｌｍ×Ｌｐ））が増加し、１／（Ｌｍ×Ｌｐ）に比例する帯板２５の材料歩留まりが増加することがわかった。そして、θ＝θ１の時に、（１／（Ｌｍ×Ｌｐ））、すなわち材料歩留まりが最大となった後、θがθ１より大きくなるにつれ、材料歩留まりが低下することがわかった。
また、θが、（θ１−３°）≦θ≦（θ１＋３°）の範囲にある場合に、帯板２５の材料歩留まりをほぼ最大にできることがわかった。
【００４２】
【数１】
0005992002.tif 000002
【００４３】
【数２】
0005992002.tif 000003
【００４４】
【数３】
0005992002.tif 000004
【００４５】
【数４】
0005992002.tif 000005
【００４６】
【数５】
0005992002.tif 000006
【００４７】
【数６】
0005992002.tif 000007
【００４８】
【数７】
0005992002.tif 000008
【００４９】
【数８】
0005992002.tif 000009
【００５０】
つぎに、回転電機１００の回転子２の回転角度（電気角）に対するトルク脈動の２ｆ成分を測定した結果を図１６に示した。トルク脈動の２ｆ成分は、２山が電気角１周期あたりに発生する成分であり、電機子が製造誤差などでばらつくことにより発生する成分である。なお、比較例として、帯板２５から円環状に打ち抜かれたコア片を積層一体化して作製された電機子鉄心を用いた回転電機を比較例として示した。
【００５１】
図１６から、コア片を円環状に打ち抜く比較例に比べて、コア片群を直線状に打ち抜く実施の形態１では、θを０°より大きくしても、トルク脈動の２ｆ成分を低減できることがわかった。これは、帯板２５の幅方向と圧延方向の磁気異方性が存在するため、円環状に打ち抜いた場合には、磁極ティース部１７ｂ、１８ｂと圧延方向の磁化容易軸との角度が、磁極ティース部１７ｂ、１８ｂのそれぞれで異なる。これに対し、直線状に打ち抜いた場合には、磁極ティース部１７ｂ、１８ｂと圧延方向の磁化容易軸との角度が、磁極ティース部１７ｂ、１８ｂのそれぞれで同じとなる。これにより、直線状に打ち抜いた場合は、磁化容易軸のばらつきが抑制され、円環状に打ち抜いた場合に比べて、トルク脈動の２ｆ成分を抑制できたものと推考される。
【００５２】
つぎに、電機子の製造方法について図１７から図２０を参照しつつ説明する。図１７はこの発明の実施の形態１に係る分割鉄心連結体の製造方法を説明する図、図１８はこの発明の実施の形態１に係る分割鉄心連結体の製造方法により製造された分割鉄心連結体を示す平面図、図１９はこの発明の実施の形態１に係る分割電機子の製造方法を説明する平面図、図２０はこの発明の実施の形態１に係る分割電機子を円弧状に曲げる工程を説明する平面図である。
【００５３】
まず、図１７において、コアブロック３０の直線状に配列される第１コア片１７のバックヨーク部１７ａ間を分離するためのスリット（斜線部分）が打ち抜かれる（工程（１））。ついで、帯板２５がピッチＬｐだけ順送りされ、コアブロック３０の直線状に配列される第２コア片１８のバックヨーク部１８ａ間を分離するためのスリット（斜線部分）が打ち抜かれる（工程（２））。ついで、帯板２５がピッチＬｐだけ順送りされる（工程（３））。この工程（３）では、帯板２５を安定させるために設けられた何も加工を施さない空き工程である。
【００５４】
ついで、帯板２５がピッチＬｐだけ順送りされ、コアブロック３０の順送り側（図１７中上側）に直線状に配列される６つの第１コア片１７（斜線部分）が打ち抜かれる（工程（４））。さらに、図示していないが、帯板２５がピッチＬｐだけ順送りされ、コアブロック３０の順送り側（図１７中上側）に直線状に配列される６つの第２コア片１８（斜線部分）が打ち抜かれる（工程（４））。ついで、帯板２５がピッチＬｐだけ順送りされる（工程５））。この工程（５）では、帯板２５を安定させるために設けられた何も加工を施さない空き工程である。
【００５５】
ついで、帯板２５がピッチＬｐだけ順送りされ、コアブロック３０の反順送り側（図１７中下側）に直線状に配列される６つの第１コア片１７（斜線部分）が打ち抜かれる（工程（６））。さらに、図示していないが、帯板２５がピッチＬｐだけ順送りされ、コアブロック３０の反順送り側（図１７中下側）に直線状に配列される６つの第２コア片１８（斜線部分）が打ち抜かれる（工程（６））。
【００５６】
工程（４）では、先に打ち抜かれた６つの第１コア片１７上に、後に打ち抜かれた６つの第２コア片１８が重ねられる。これにより、軸部１９が第１嵌合穴２０ａに挿入され、第１および第２コア片１７，１８が抜きカシメ部１７ｃ，１８ｃで結合される。
同様に、工程（６）では、先に打ち抜かれた６つの第１コア片１７上に、後に打ち抜かれた６つの第２コア片１８が重ねられる。これにより、軸部１９が第１嵌合穴２０ａに挿入され、第１および第２コア片１７，１８が抜きカシメ部１７ｃ，１８ｃで結合される。
そして、工程（１）から工程（６）が必要な回数だけ繰り返され、図１８に示されるように、千鳥状直線２列に配列された２つの分割鉄心連結体１５が製造される。
【００５７】
このように製造された分割鉄心連結体１５は拡大位置となっている。そこで、インシュレータ１４を磁極ティース１６ｂのそれぞれに装着する。ついで、図１９に示されるように、巻線機の巻線ノズル２７を回転させて、導体線２８を、インシュレータ１４が装着された磁極ティース１６ｂに巻き付ける。そして、集中巻コイル１３ａがすべての磁極ティース１６ｂに装着されて、分割電機子１１が製造される。
【００５８】
ついで、図２０に示されるように、分割鉄心連結体１５を縮小位置に変位させ、軸部１９周りに回動させる。そして、すべての分割鉄心１６が軸部１９周りに回動され、円弧状に曲げられた分割電機子１１が製造される。
ついで、図２に示されるように、３つの円弧状に曲げられた分割電機子１１が環状に配列される。ついで、３つの分割電機子１１を円環状に繋げ、焼き嵌めにより、円筒状のフレーム（図示せず）に挿入固着し、電機子１０が作製される。なお、６つの分割鉄心連結体１５を溶接により一体化して、電機子１０を作製してもよい。
【００５９】
この実施の形態１では、分割鉄心連結体１５を構成する分割鉄心１６が隣の分割鉄心１６に対して拡大位置と縮小位置との間で変位可能になっている。そこで、分割鉄心１６が拡大位置に位置する状態で分割鉄心連結体１５を製造することにより、分割鉄心連結体１５の千鳥状直線２列抜きを容易に実現することができる。すなわち、分割鉄心１６が縮小位置にあるときの磁極ティース１６ｂの間隔は、磁極ティース１６ｂの最大幅（幅拡大部１６ｂ２の幅）よりも狭い。これに対して、分割鉄心１６が拡大位置にあるときの磁極ティース１６ｂの間隔は、磁極ティース１６ｂの最大幅よりも広い。このため、分割鉄心１６が拡大位置に位置する状態で分割鉄心連結体１５を製造することにより、分割鉄心連結体１５の千鳥状直線２列抜きを容易に実現することができる。
【００６０】
これにより、帯板２５の材料歩留りが向上し、製造コストを抑制できる。また、磁極ティース１６ｂの間隔を広げた状態でインシュレータ１４の装着および集中巻コイル１３ａの装着（巻線）を行うことにより、各装着作業のためのスペースを十分に確保することができ、作業性を向上させることができる。
【００６１】
さらに、互いに連結された分割鉄心１６は、軸部１９が第１又は第２の嵌合穴２０ａ，２０ｂに嵌合しており、抜けない（分離しない）ので、ハンドリングが容易である。
さらに、バネ部２１により、軸部１９の第２嵌合穴２０ｂから第１嵌合穴２０ａへの移動に抵抗を与えるので、縮小位置に移動された分割鉄心１６が容易に拡大位置に戻るのを防止することができ、生産性を向上させることができる。
【００６２】
ここで、上記実施の形態１では、図２２および図２３に示されるように、軸部１９の外径Ｄ０、第１嵌合穴２０ａの内径Ｄ１、および第２嵌合穴２０ｂの内径Ｄ２の関係が、概ねＤ０＝Ｄ１＝Ｄ２となっている。これに対して、例えば図２４に示されるように、Ｄ０＜Ｄ２＜Ｄ１としてもよい。この場合、第１コア片１７と第２コア片１８とを積層する際に、軸部１９を第１嵌合孔２０ａに容易に嵌合させることができる。
【００６３】
また、軸部１９の外径Ｄ０に対して第１嵌合孔２０ａの内径Ｄ１に余裕があるため、軸部１９と第１嵌合穴２０ａとの位置誤差の影響が軽減され、位置誤差による軸部１９および第１嵌合穴２０ａの変形を抑制することができる。さらに、軸部１９を第２嵌合穴２０ｂに嵌合させた際の軸部１９の位置誤差を少なくできる。これにより、分割鉄心連結体１５を精度良く製造できる。
【００６４】
また、軸部１９と嵌合穴２０（バネ部２１を含む）の形状は上記実施の形態１の形状に限らず、軸部１９が嵌合穴２０に嵌合され、分割鉄心１６が相対的に縮小位置と拡大位置との間を変位でき、縮小位置に位置したときに軸部１９を中心として各分割鉄心１６が回転できる形状であればよい。
【００６５】
また、図２１に示されるように、幅縮小部１６ｂ１とインシュレータ１４との空間には、幅縮小部１６ｂ１に嵌合するインシュレータ１４の替わりに別の絶縁部材１４’が嵌合されていてもよい。さらに、インシュレータ１４が強度上で問題なければ、幅縮小部１６ｂ１とインシュレータ１４との間に空間を設けても集中巻コイル１３ａの絶縁性能を保つことができる。
【００６６】
また、第１および第２コア片１７，１８を拡大状態の分割鉄心連結体１５を構成する分割鉄心１６の配列ピッチτｓ’と同じ配列ピッチで配列された状態に打ち抜くため、打ち抜かれた第１および第２コア片１７，１８の列の長さが長くなる。そこで、帯板２５の材料幅に制約がある場合には、この実施の形態１によるコア片の打ち抜き方法が特に有効となる。
【００６７】
また、嵌合穴２０は、第１および第２嵌合穴２０ａ，２０ｂを連結穴２０ｃで連結する穴形状となっているが、嵌合穴は、軸部１９の外径と略等しい内径を有する円形の穴形状としてもよい。これにより、連結された分割鉄心１６の拡大／縮小動作はできなくなるが、コアブロック３０の長辺長さが短くなり、帯板２５の材料幅の制約を受けにくくすることができる。さらに、θをつけてコアブロック３０を帯板２５から打ち抜くことで、材料歩留まりを向上できる。
【００６８】
まお、上記実施の形態１では、θが反時計回りに増加する場合について説明したが、コアブロック３０は回転対称性を有するので、θを時計回りに増加させてもよい。この場合、コアブロック３０の他方の対角に位置する両角部Ｂが、帯板２５の幅方向に関して圧延方向に隣り合う穴Ｐ間に位置することになる。
【００６９】
実施の形態２．
図２５はこの発明の実施の形態２に係るθがθ３の時のコア片打ち抜き行程におけるコア片の配置を示す平面図、図２６はこの発明の実施の形態２に係るθ３がθ２より大きい場合における帯板の幅と穴Ｐのピッチとの積の逆比とθとの関係を示す図、図２７はこの発明の実施の形態２に係るθ３がθ２より小さい場合における帯板の幅と穴Ｐのピッチとの積の逆比とθとの関係を示す図である。なお、図２５において、コアブロック３０内の第１および第２コア片１７，１８は省略されている。
【００７０】
図２５において、コアブロック３０は、長方形の対角に位置する一対の角部が穴Ｐ間に位置して、かつ、打ち抜き限度線２６に接している。コアブロック３０は、穴Ｐから距離ｄだけ離れて配置されている。ここで、帯板２５の幅Ｌｍがコアブロック３０の長辺長さＬと等しくなっている。そのときの角度θ３は式（９）で表される。
【００７１】
【数９】
0005992002.tif 000010
【００７２】
式（９）から、Ｌ、Ｈおよびｄの関係により、θ３の値が変化する。
【００７３】
ここで、（Ｌ−２ｄ）が小さい場合やＨが大きい場合に、θ３が大きくなる。θ３がθ２より大きい場合における帯板の幅と穴Ｐのピッチとの積の逆比とθとの関係を図２６に示す。θが０°より大きく、θ３より小さい場合、コアブロック３０の長辺長さＬは帯板２５の幅Ｌｍより小さくなる。そこで、コアブロック３０の長辺長さＬが帯板２５の幅Ｌｍより小さくても、θを０°より大きくすることにより、Ｌｍを極力Ｌに近づけることができ、帯板２５の幅の増加をθ＝０°の場合より抑えることができる。
【００７４】
また、（Ｌ−２ｄ）が大きい場合やＨが小さい場合に、θ３が小さくなる。θ３がθ２より小さい場合における帯板の幅と穴Ｐのピッチとの積の逆比とθとの関係を図２７に示す。この場合、θ３がθ２より小さいので、コアブロック３０の長辺長さＬが帯板２５の幅Ｌｍより小さい（Ｌｍ＞Ｌ）場合でも、θを０°＜θ≦θ３の範囲とすることで、帯板２５の材料歩留まりをθ＝０°の場合より向上できる。
【００７５】
実施の形態３．
図２８はこの発明の実施の形態３に係るコア片打ち抜き行程におけるコア片の配置を示す平面図、図２９はこの発明の実施の形態３に係る帯板の幅と穴Ｐのピッチとの積の逆比とθとの関係を示す図である。なお、図２８では、便宜上、第１コア片１７が千鳥状直線２列に配列されたコアブロック３１のみを示している。
【００７６】
実施の形３では、第１コア片１７を帯板２５から打ち抜く範囲の指標をコアブロック３１とする。コアブロック３１は、コアブロック３０の他方の対角に位置する両角部Ｂを、千鳥状直線２列配列の両端部に位置する第１コア片１７の磁極ティース部１７ｂの最外周と、当該第１コア片１７に対して千鳥状の位置に配置された第１コア片１７のバックヨーク部１７ａの最外周とを結ぶ直線３１ａで切り落とした６角形の形状である。また、コアブロック３１の長辺長さをＬ、長辺間の間隔（コアブロック３０の短辺に相当）をＨとする。なお、図示していないが、第２コア片１８を帯板２５から打ち抜く範囲の指標であるコアブロック３１も同様に構成されている。
【００７７】
コアブロック３１は、図２８に示されるように、千鳥状直線２列に配列された第１コア片１７の最外周に接する長方形の短辺と直線３１ａとの交点である一対の角部Ｃを、帯板２５の圧延方向に隣り合う穴Ｐの間に位置させて、穴Ｐから距離ｄだけ離れて配置されている。ここで、鳥状直線２列に配列された第１コア片１７の最外周に接する長方形の短辺と直線３１ａとの交点Ｃと、千鳥状直線２列に配列された第１および第２コア片１７，１８の最外周に接する長方形の角部Ｂとの間の、帯板２５の幅方向の距離をαとする。
【００７８】
つぎに、コアブロック３１の磁極ティース部１７ｂ、１８ｂの中心線と帯板２５の圧延方向とのなす角度θを変えて１／（Ｌｍ×Ｌｐ）を算出した結果を図２９に示す。なお、図２９において、コアブロック３０の磁極ティース部１７ｂ、１８ｂの中心線と帯板２５の圧延方向とのなす角度θを変えて１／（Ｌｍ×Ｌｐ）を算出した結果を点線で示した。
図２９から、第１および第２コア片１７，１８を帯板２５から打ち抜く範囲をコアブロック３１とした場合、コアブロック３０の場合に比べ、θ１が大きくなっている。これは、式（３）の右辺における分子が（ｄ＋Ｄｐ）から（ｄ＋Ｄｐ＋α）と増えることに起因する。これにより、θ１が大きくなり、材料歩留まりの最大値が増加する。また、θ１が大きくなるので、θ２も大きくなる。
【００７９】
この実施の形態３では、第１および第２コア片１７，１８を帯板２５から打ち抜く範囲をコアブロック３１としたので、θ１が大きくなる。したがって、実施の形態３によれば、材料歩留まりを、上記実施の形態１に比べて、向上させることができる。さらに、θ２が大きくなるので、材料歩留まりを、θ＝０°のときの材料歩留まりよりも向上できるθの範囲を大きくすることができる。
【００８０】
第１および第２コア片１７，１８を帯板２５から打ち抜く範囲をコアブロック３１とした場合、コアブロック３０の場合に比べ、θ３が小さくなっている。これは、圧延方向に隣り合う穴Ｐ間に位置するコアブロック３１の角部Ｃ間の距離が、圧延方向に隣り合う穴Ｐ間に位置するコアブロック３０の角部Ａ間の距離より小さくなったことに起因する。これにより、式（９）における右辺の分母が小さくなり、θ３が小さくなった。したがって、θ３のときの材料歩留まりを向上できる。
【００８１】
ここで、図２８において、コアブロック３１を角部Ａ周りに反時計回りに回転させ、コアブロック３１の直線３１ａが帯板２５の圧延方向と平行となるようにコアブロック３１を配置させてもよい。この場合、帯板２５の幅方向に関して、直線３１ａに接するバックヨーク部１７ａ，１８ａの圧延方向に隣り合う穴Ｐ間に位置する領域が増大するとともに、帯板２５の幅を縮小できるので、材料歩留まりを向上できる。さらに、コアブロック３１の直線３１ａが打ち抜き限度線２６に接するようにコアブロック３１を配置させれば、材料歩留まりをさらに向上できる。
【００８２】
実施の形態４．
図３０はこの発明の実施の形態４に係るコア片打ち抜き行程におけるコア片の配置を示す平面図、図３１はこの発明の実施の形態４に係る帯板の幅と穴Ｐのピッチとの積の逆比とθとの関係を示す図である。なお、図３０では、便宜上、第１コア片１７が千鳥状直線２列に配列されたコアブロック３１のみを示している。
【００８３】
実施の形４では、コアブロック３１は、図３０に示されるように、千鳥状直線２列配列の両端部に位置する第１コア片１７側の角部Ａを、帯板２５の幅方向に関して帯板２５の圧延方向に隣り合う穴Ｐの間に位置させて、穴Ｐから距離ｄだけ離れて配置されている。ここで、千鳥状直線２列に配列された第１コア片１７の最外周に接する長方形の、直線３１ａで切り落とされる角部Ｂと、穴Ｐの帯板２５の幅方向内側の端部との間の、帯板２５の幅方向の距離をβとする。
【００８４】
つぎに、コアブロック３１の磁極ティース部１７ｂ、１８ｂの中心線と帯板２５の圧延方向とのなす角度θを変えて１／（Ｌｍ×Ｌｐ）を算出した結果を図３１に示す。なお、図３１において、コアブロック３０の磁極ティース部１７ｂ、１８ｂの中心線と帯板２５の圧延方向とのなす角度θを変えて１／（Ｌｍ×Ｌｐ）を算出した結果を点線で示した。
図３１から、第１および第２コア片１７，１８を帯板２５から打ち抜く範囲をコアブロック３１とした場合、コアブロック３０の場合に比べ、θ１が小さくなっている。これは、式（３）の右辺における分子が（ｄ＋Ｄｐ）から（ｄ＋Ｄｐ−β）と減ることに起因する。これにより、θ１が小さくなり、θ２も小さくなる。
【００８５】
この実施の形態４では、第１および第２コア片１７，１８を帯板２５から打ち抜く範囲をコアブロック３１としたので、θ１が小さくなり、材料歩留まりが最大となるθをより小さな角度で打ち抜くことができる。したがって、実施の形態４によれば、金型の精度を実施の形態１に比べて、高めることができる。さらに、θ２が小さくなるので、金型の精度を、実施の形態１に比べて、高めることができる。
【００８６】
第１および第２コア片１７，１８を帯板２５から打ち抜く範囲をコアブロック３１とした場合のθ３が、コアブロック３０の場合のθ３と同じである。これは、圧延方向に隣り合う穴Ｐ間に位置するコアブロック３１の角部間の距離が、圧延方向に隣り合う穴Ｐ間に位置するコアブロック３０の角部間の距離と同じであることに起因する。これにより、同じ幅の帯板２５から、コアブロック３０と同じ長辺長さのコアブロック３１を打ち抜くことができる。したがって、実施の形態４によれば、実施の形態１に比べて、小さなθで材料歩留まりを向上できるので、金型の大型化が抑制され、精度よく打ち抜くことができる。
【００８７】
なお、上記各実施の形態では、１６極１８スロットの回転電機について説明しているが、回転電機の極数スロット数は１６極１８スロットに限定されない。
また、上記各実施の形態では、千鳥状直線２列に配列されたコア片が、互いに分離した状態で帯板から打ち抜かれる場合について説明しているが、本発明は、特許文献１のように、千鳥状直線２列に配列されたコア片が、薄肉部を介して互いに連結された状態で打ち抜かれる場合にも適用できることはいうまでもないことである。
【符号の説明】
【００８８】
１２  電機子鉄心、１６  分割鉄心、１７  第１コア片、１７ａ  バックヨーク部、１７ｂ  磁極ティース部、１８  第２コア片、１８ａ  バックヨーク部、１８ｂ  磁極ティース部、２５  帯板、２６  打ち抜き限度線、３０，３１  コアブロック、３１ａ  直線、Ａ，Ｂ，Ｃ  角部、Ｐ  穴（パイロットピン用穴）。
【図１】
0005992002.tif 000011
【図２】
0005992002.tif 000012
【図３】
0005992002.tif 000013
【図４】
0005992002.tif 000014
【図５】
0005992002.tif 000015
【図６】
0005992002.tif 000016
【図７】
0005992002.tif 000017
【図８】
0005992002.tif 000018
【図９】
0005992002.tif 000019
【図１０】
0005992002.tif 000020
【図１１】
0005992002.tif 000021
【図１２】
0005992002.tif 000022
【図１３】
0005992002.tif 000023
【図１４】
0005992002.tif 000024
【図１５】
0005992002.tif 000025
【図１６】
0005992002.tif 000026
【図１７】
0005992002.tif 000027
【図１８】
0005992002.tif 000028
【図１９】
0005992002.tif 000029
【図２０】
0005992002.tif 000030
【図２１】
0005992002.tif 000031
【図２２】
0005992002.tif 000032
【図２３】
0005992002.tif 000033
【図２４】
0005992002.tif 000034
【図２５】
0005992002.tif 000035
【図２６】
0005992002.tif 000036
【図２７】
0005992002.tif 000037
【図２８】
0005992002.tif 000038
【図２９】
0005992002.tif 000039
【図３０】
0005992002.tif 000040
【図３１】
0005992002.tif 000041